(57)【要約】【課題】ファクシミリ装置を複数ネットワーク接続したシステムであり、送信原稿を複数のファクシミリ装置に読み込ませる必要なしに、複数のファクシミリ装置から同一の送信原稿を異なる宛先にファクシミリ送信することを可能にする。【解決手段】複数のＭＦＰ１の内のいずれか１台である依頼元装置のＭＦＰ１-1から他の配信装置であるＭＦＰ１-2へＬＡＮを介して、ファクシミリ送信すべき画像データと、ファクシミリ送信の宛先と、依頼元装置のＭＦＰ１-1からファクシミリ送信する際に追加送信されるＴＴＩ及び画像データに追加される送信元情報の画像データを送信することにより、配信装置であるＭＦＰ１-2からＰＳＴＮへファクシミリ送信を行なわせる。【選択図】図２
2007325122.tif 000002
【特許請求の範囲】
【請求項１】
複数のファクシミリ装置がファクシミリ通信のための第１のネットワークとは異なる第２のネットワークで接続されたネットワークファクシミリシステムにおいて、
前記複数のファクシミリ装置の内の第１のファクシミリ装置から他の第２のファクシミリ装置へ、ファクシミリ送信すべき画像データ、ファクシミリ送信の宛先、前記第１のファクシミリ装置からファクシミリ送信する際に追加送信されるべき信号、及び前記ファクシミリ送信すべき画像データに追加される画像データを前記第２のネットワークを介して送信することにより、１又は複数の前記第２のファクシミリ装置から前記第１のネットワークを介してファクシミリ送信を行なわせることを可能にしたことを特徴とするネットワークファクシミリシステム。
【請求項２】
複数のファクシミリ装置がファクシミリ通信のための第１のネットワークとは異なる第２のネットワークで接続されたネットワークファクシミリシステムにおいて、
各ファクシミリ装置は、
それぞれがファクシミリ送信する際に追加送信されるべき装置固有の信号と、ファクシミリ送信すべき画像データに追加される予め設定された画像データとを含む装置固別の情報を前記第２のネットワークを介して予め他のファクシミリ装置に登録させる手段と、
ファクシミリ送信すべき画像データと、ファクシミリ送信の宛先の情報とを他のファクシミリ装置へ前記第２のネットワークを介して送信する手段と、
前記装置個別の情報を他のファクシミリ装置から前記第２のネットワークを介して受信した場合に、受信した情報を登録する登録手段と、
ファクシミリ送信すべき画像データと、ファクシミリ送信の宛先の情報とを他のファクシミリ装置から前記第２のネットワークを介して受信した場合に、受信した画像データに前記登録手段に登録されている画像データを追加し、前記登録手段に登録されている装置固有の信号を自身の装置固有の信号に代えて追加して、受信した宛先の情報に従って前記第１のネットワークを介してファクシミリ送信する手段と
を備えたこと
を特徴とするネットワークファクシミリシステム。
【請求項３】
複数の他のファクシミリ装置とファクシミリ通信のための第１のネットワークとは異なる第２のネットワークで接続されたファクシミリ装置であって、
ファクシミリ送信する際に追加送信されるべき装置固有の信号と、ファクシミリ送信すべき画像データに追加される予め設定された画像データとを含む装置固別の情報を前記第２のネットワークを介して予め他のファクシミリ装置に登録させる手段と、
ファクシミリ送信すべき画像データと、ファクシミリ送信の宛先の情報とを他のファクシミリ装置へ前記第２のネットワークを介して送信する手段と、
前記装置個別の情報を他のファクシミリ装置から前記第２のネットワークを介して受信した場合に、受信した情報を登録する登録手段と、
ファクシミリ送信すべき画像データと、ファクシミリ送信の宛先の情報とを他のファクシミリ装置から前記第２のネットワークを介して受信した場合に、受信した画像データに前記登録手段に登録されている画像データを追加し、前記登録手段に登録されている装置固有の信号を自身の装置固有の信号に代えて追加して、受信した宛先の情報に従って前記第１のネットワークを介してファクシミリ送信する手段と
を備えたことを特徴とするファクシミリ装置。
【発明の詳細な説明】
【技術分野】
【０００１】
本発明は複数のファクシミリ装置を、本来のファクシミリ送信のための電話回線とは異なるネットワーク、たとえばコンピュータネットワーク等に接続したネットワークファクシミリシステムに関し、また本発明はそのようなネットワークファクシミリシステムを構成し、複数の宛先に対して同一の送信原稿を自動的に送信するいわゆる同報機能を有するファクシミリ装置に関する。
【背景技術】
【０００２】
ファクシミリ送信を行なう場合、同一の送信原稿を複数の宛先に送信したい場合が多々あり得る。たとえば会議の資料を会議の出席者に事前にファクシミリ通信により送付しておく場合等がそうであるが、送信原稿の量（ページ数）が多い場合には全ての宛先への送信が完了するまでに数時間を要することもあり得る。また、ファクシミリ通信を利用したダイレクトメール等を送信する場合には送信原稿がたとえ１ページであったとしても、宛先が数千、数万という場合には、やはり全ての宛先への送信が完了するまでに数時間を要することもあり得る。
【０００３】
このような要求に応えるために、従来のファクシミリ装置には同報機能が備えられている。具体的には、複数の宛先のファクシミリ番号（電話番号）を指定又は入力しておき、それらの宛先に送信原稿を１回のみファクシミリ装置に読み込ませることにより、ファクシミリ装置が内部に記憶した画像データを予め指定・入力されている複数のファクシミリ番号宛に順次的に送信する機能である。
【０００４】
しかし、上述のような同報機能を利用したとしても、１台のファクシミリ装置で全ての宛先に送信を行なったのでは、送信原稿をファクシミリ装置に何度も読み込ませるための時間が不要になると共にユーザの負担が軽減されるという利点はあっても、全ての宛先への送信が完了するまでに要する時間が劇的に短縮されるわけではない。このような複数の宛先へ同一の送信原稿をファクシミリ送信する際の所要時間を短縮する方法としては、複数のファクシミリ装置で宛先を分担して同一の送信原稿を送信すれば、使用されるファクシミリ装置の台数にほぼ逆比例して全体としての所要時間を短縮することが可能になる。しかしこの場合には、複数のファクシミリ装置に同一の送信原稿を読み込ませる操作が必要になり、ユーザにとっては煩雑であった。
【０００５】
また、ファクシミリ送信の受信先においてはプリントアウトされた各用紙にヘッダとして送信元のファクシミリ装置の電話番号、予め設定されたたとえば会社名、部署名等の送信元情報がプリントされる機能が普及しているが、上述のように複数のファクシミリ装置から同一の送信原稿を送信した場合には、それぞれの受信先ではそれぞれ異なるヘッダがプリントされることになる。更にファクシミリ送信に際してはＴＴＩ（Transmit Terminal Identifier）と消される情報が送信される。ＴＴＩ情報とは送信元の名称、電話番号、送信日時であり、ファクシミリ送信時にＴＳＩ（送信端末識別）信号に含まれて送信される。従って、上述したように、複数のファクシミリ装置に同一の送信原稿を読み取らせてそれぞれからファクシミリ送信を行なった場合には、送信に使用されるファクシミリ装置毎に異なるＴＴＩ情報が送信されることになる。
【０００６】
このような事情からたとえば特許文献１には、複数回線に接続可能な１台のファクシミリ装置に複数の送信手段（回線制御手段、モデム、通信制御手段等）を備えさせ、複数の宛先に同時に同一の送信原稿をファクシミリ送信することが可能であり、しかも同一の送信元情報、回線情報（ＴＴＩ情報）を付与してファクシミリ送信することが可能なファク
シミリ装置の発明が開示されている。
【特許文献１】特開平１０−２００７２１号公報
【発明の開示】
【発明が解決しようとする課題】
【０００７】
しかし、上述した特許文献１に開示されている発明では、１台のファクシミリ装置に複数の送信手段が備えられているという特殊な構成を採っているため、そのような装置を利用するためには従来のファクシミリ装置をそのような装置に買い換える必要がある。
【０００８】
本発明は以上のような事情に鑑みてなされたものであり、近年のＬＡＮ、インターネット等に接続してコンピュータネットワークによる通信（コンピュータ通信）が可能なファクシミリ装置を複数ネットワーク接続したシステムであり、送信原稿を複数のファクシミリ装置に読み込ませる必要なしに、複数のファクシミリ装置から同一の送信原稿を異なる宛先にファクシミリ送信することが可能なネットワークファクシミリシステム及びそのようなシステムを構成するファクシミリ装置の提供を主たる目的とする。
【課題を解決するための手段】
【０００９】
本発明は端的には、ＬＡＮ、インターネット等でネットワーク接続されている複数のファクシミリ装置で構成されるシステムにおいて、あるファクシミリ装置からＬＡＮ、インターネット等で接続されている他のファクシミリ装置に宛先の情報、送信原稿のデータ等をネットワークを介して送信することにより、ファクシミリ送信を代行させるように構成したものである。また、ファクシミリ送信を代行する装置からのファクシミリ送信に際しては、送信元情報、ＴＴＩ情報等はファクシミリ送信を依頼したファクシミリ装置のものを使用するように構成したものである。
【００１０】
第１の本発明に係るネットワークファクシミリシステムは、複数のファクシミリ装置がファクシミリ通信のための第１のネットワークとは異なる第２のネットワークで接続されたネットワークファクシミリシステムにおいて、前記複数のファクシミリ装置の内の第１のファクシミリ装置から他の第２のファクシミリ装置へ、ファクシミリ送信すべき画像データ、ファクシミリ送信の宛先、前記第１のファクシミリ装置からファクシミリ送信する際に追加送信されるべき信号、及び前記ファクシミリ送信すべき画像データに追加される画像データを前記第２のネットワークを介して送信することにより、１又は複数の前記第２のファクシミリ装置から前記第１のネットワークを介してファクシミリ送信を行なわせることを可能にしたことを特徴とする。
【００１１】
このような第１の発明に係るネットワークファクシミリシステムでは、第２のファクシミリ装置が第１のファクシミリ装置に代わって、第１のネットワーク、即ち電話回線を介してファクシミリ送信を行なう。
【００１２】
また第２の発明に係るネットワークファクシミリシステムは、複数のファクシミリ装置がファクシミリ通信のための第１のネットワークとは異なる第２のネットワークで接続されたネットワークファクシミリシステムにおいて、各ファクシミリ装置は、それぞれがファクシミリ送信する際に追加送信されるべき装置固有の信号と、ファクシミリ送信すべき画像データに追加される予め設定された画像データとを含む装置固別の情報を前記第２のネットワークを介して予め他のファクシミリ装置に登録させる手段と、ファクシミリ送信すべき画像データと、ファクシミリ送信の宛先の情報とを他のファクシミリ装置へ前記第２のネットワークを介して送信する手段と、前記装置個別の情報を他のファクシミリ装置から前記第２のネットワークを介して受信した場合に、受信した情報を登録する登録手段と、ファクシミリ送信すべき画像データと、ファクシミリ送信の宛先の情報とを他のファクシミリ装置から前記第２のネットワークを介して受信した場合に、受信した画像データ
に前記登録手段に登録されている画像データを追加し、前記登録手段に登録されている装置固有の信号を自身の装置固有の信号に代えて追加して、受信した宛先の情報に従って前記第１のネットワークを介してファクシミリ送信する手段とを備えたことを特徴とする。
【００１３】
このような第２の発明に係るネットワークファクシミリシステムでは、各ファクシミリ装置は、ファクシミリ送信すべき画像データと、ファクシミリ送信の宛先の情報とを他のファクシミリ装置から第２のネットワーク、たとえばコンピュータネットワーク等を介して受信した場合に、受信した画像データに予め登録手段に登録されている画像データを追加し、予め登録手段に登録されている装置固有の信号を自身の装置固有の信号に代えて追加した上で、受信した宛先の情報に従って、第１のネットワーク、即ち電話回線を介してファクシミリ送信を行なう。
【００１４】
第３の発明に係るファクシミリ装置は、複数の他のファクシミリ装置とファクシミリ通信のための第１のネットワークとは異なる第２のネットワークで接続されたファクシミリ装置であって、ファクシミリ送信する際に追加送信されるべき装置固有の信号と、ファクシミリ送信すべき画像データに追加される予め設定された画像データとを含む装置固別の情報を前記第２のネットワークを介して予め他のファクシミリ装置に登録させる手段と、ファクシミリ送信すべき画像データと、ファクシミリ送信の宛先の情報とを他のファクシミリ装置へ前記第２のネットワークを介して送信する手段と、前記装置個別の情報を他のファクシミリ装置から前記第２のネットワークを介して受信した場合に、受信した情報を登録する登録手段と、ファクシミリ送信すべき画像データと、ファクシミリ送信の宛先の情報とを他のファクシミリ装置から前記第２のネットワークを介して受信した場合に、受信した画像データに前記登録手段に登録されている画像データを追加し、前記登録手段に登録されている装置固有の信号を自身の装置固有の信号に代えて追加して、受信した宛先の情報に従って前記第１のネットワークを介してファクシミリ送信する手段とを備えたことを特徴とする。
【００１５】
このような第３の発明に係るファクシミリ装置では、ファクシミリ送信すべき画像データと、ファクシミリ送信の宛先の情報とを他のファクシミリ装置から第２のネットワーク、たとえばコンピュータネットワーク等を介して受信した場合に、受信した画像データに予め登録手段に登録されている画像データを追加し、予め登録手段に登録されている装置固有の信号を自身の装置固有の信号に代えて追加した上で受信した宛先の情報に従って、第１のネットワーク、即ち電話回線を介してファクシミリ送信を行なう。
【発明の効果】
【００１６】
本発明に係るネットワークファクシミリシステム及び本発明に係るファクシミリ装置によれば、本来ファクシミリ送信を行なうべきファクシミリ装置とは異なるファクシミリ装置に代わって他のファクシミリ装置が第１のネットワーク、即ち電話回線を介してファクシミリ送信を行なう。その際、ファクシミリ送信を行なうファクシミリ装置は、本来ファクシミリ送信を行なうべきファクシミリ装置から受信した画像データに予め登録手段に登録されている画像データを追加し、予め登録手段に登録されている装置固有の信号を自身の装置固有の信号に代えて追加した上で、受信した宛先の情報に従ってファクシミリ送信を実行するので、ファクシミリ送信を受信した側では本来ファクシミリ送信を行なうべきファクシミリ装置から送信された場合と同様の受信状態になる。
【発明を実施するための最良の形態】
【００１７】
以下に、本発明に係るネットワークファクシミリシステムの一実施の形態を、個々のファクシミリ装置をＭＦＰに適用した場合について、図面を参照して詳述する。図１は本発明に係るファクシミリ装置としてのＭＦＰを複数（図示例では参照符号１-1と１-2との２台）接続した本発明に係るネットワークファクシミリシステムの構成例を示す模式図であ
る。
【００１８】
図１において、参照符号１（１-1、１-2及び１-3) は本発明に係るファクシミリ装置であるＭＦＰを示している。これらのＭＦＰは同一構成であるので、以下においては主として参照符号１-1が付されたＭＦＰについて説明する。
【００１９】
ＭＦＰ１-1には、第２のネットワークであるＬＡＮ（Local Area Network）を介して端末装置である複数のコンピュータ（以下、ＰＣという）２が接続されている。また、ＭＦＰ１-1は、第１のネットワークである公衆電話交換網ＰＳＴＮを介して外部のファクシミリ通信可能なＭＦＰ１-3、ＭＦＰ３及びファクシミリ装置４等とも接続されている。なお、ＭＦＰ１-1に接続されているＬＡＮには図示されている他にも多数のＰＣ及びＭＦＰ、又はコンピュータネットワークによる通信（コンピュータ通信）が可能なファクシミリ装置が接続されている。また、公衆電話交換網ＰＳＴＮには図示されている他にもファクシミリ通信が可能な多数のＭＦＰ及びファクシミリ装置が接続されていることは言うまでもない。
【００２０】
従って、ＭＦＰ１-1は、ＬＡＮを介して複数のＰＣ２とコンピュータネットワークによる通信が可能であり、公衆電話交換網ＰＳＴＮを介して他のＭＦＰ１-3、３及びファクシミリ装置４とファクシミリ通信が可能である。なお、ＬＡＮに接続されているＭＦＰ１-2等のＭＦＰ及びコンピュータネットワークによる通信が可能なファクシミリ装置もそれぞれ公衆電話交換網ＰＳＴＮに接続していて、ファクシミリ通信が可能であることはいうまでもない。
【００２１】
更に、ＭＦＰ１-1はＬＡＮを介して第２のネットワークであるインターネットＩＮにも接続している。そして、このインターネットＩＮにはＭＦＰ１-1、１-2等と同一の機能を有する本発明に係るファクシミリ装置である多数のＭＦＰが接続されている。但し、図１には一台のＭＦＰ１-3のみを示している。これらのインターネットＩＮに接続されている本発明に係るファクシミリ装置としてのＭＦＰ１-3等のＭＦＰも公衆電話交換網ＰＳＴＮを介してファクシミリ通信が可能であることはいうまでもない。なお、図１には示されていないが、ＭＦＰ１-1にインターネットＩＮを介して接続されているＭＦＰ１-3 及び他のＭＦＰにもＭＦＰ１-1と同様に、複数の端末装置としてのＰＣ２がＬＡＮ接続されている。
【００２２】
図２は本発明に係るファクシミリ装置としてのＭＦＰ１-1の内部構成例を示すブロック図である。なお、図１に示されている、ＭＦＰ１-1にＬＡＮで接続されているＭＦＰ１-2及びインターネットＩＮで接続されているＭＦＰ１-3等の本発明に係るＭＦＰも全く同一構成であるので、その説明は省略する。
【００２３】
ＭＦＰ１-1は、ＣＰＵ（Central Processing Unit)又はＭＰＵ（Micro Processor Unit）等で構成された制御部１０を備えている。制御部１０は、バスを介して、ＲＯＭ１１、ＲＡＭ１２、ＮＣＵ（Network Control Unit）１３、モデム１４、読取部１５、画像メモリ１６、プリント部１７、操作部１８、表示部１９、ＬＡＮに接続するためのＬＡＮインタフェース２０、蓄積部２１、画像データの符号化／復号化処理を行なうコーデック（ＣＯＤＥＣ）２２等と接続されている。
【００２４】
制御部１０は、上述したようなハードウェア各部を制御すると共に、ＲＯＭ１１に予め格納されている制御プログラム１１ａに従って、種々のソフトウェア的機能を実現する。ＲＯＭ１１に格納されている制御プログラム１１ａとしては、ＭＦＰ１-1としての一般的な動作に必要な種々のプログラム，及びＬＡＮインターフェイス２０を介してＰＣ２とデータ通信を行なうためのプログラム，モデム１４を介して外部のＭＦＰ３，ファクシミリ
装置４との間でファクシミリ通信を行なうためのファクシミリ通信プログラム等が含まれる他、本発明に係るファクシミリ装置としての動作に必要なプログラムも含まれる。また、ＲＡＭ１２は、ＳＲＡＭ又はフラッシュメモリ等で構成されており、制御部１０による制御プログラム１１ａの実行時に発生するデータを一時的に記憶する。
【００２５】
モデム１４は、ファクシミリ通信が可能なファックスモデムで構成されており、ＮＣＵ１３とも直接的に接続されている。ＮＣＵ１３は、公衆電話交換網ＰＳＴＮと接続されており、必要に応じてモデム１４を公衆電話交換網ＰＳＴＮと接続し、公衆電話交換網ＰＳＴＮを介して外部のＭＦＰ３及びファクシミリ装置４との間でのファクシミリ通信を可能としている。
【００２６】
読取部１５は、ＣＣＤ(Charge Coupled Device) を利用したスキャナで構成されており、図示されていない原稿載置台に載置された原稿を読み取ることにより画像データを取得し、取得した画像データを画像メモリ１６に記憶させる。画像メモリ１６は、ＤＲＡＭにより構成されており、モデム１４及びＮＣＵ１３を介したファクシミリ通信により受信した画像データ、及び読取部１５により読み取った画像データを一時的に記憶する。
【００２７】
プリント部１７は、たとえば電子写真方式のプリンタ装置であって、画像メモリ１６に記憶させてある画像データを、Ａ３縦，Ｂ４縦，Ａ４縦，Ｂ５横及びＡ５横等の各サイズの用紙又はＯＨＰ(Over Head Projector) シート等から最適なサイズのものを選択してハードコピーすることによりプリント処理する。
【００２８】
操作部１８は、ＭＦＰ１-1を直接操作するために、たとえばＭＦＰ１-1の図示しない原稿載置台に載置された原稿を直接ファクシミリ送信したりするような場合に必要なテンキー、短縮ダイヤルキー及び各種のファンクションキー等を備えた操作パネルとして構成されている。表示部１９は、液晶ディスプレイ（ＬＣＤ）等の表示装置であり、ＭＦＰ１-1の動作状態、操作部１８から入力された文字、ユーザに通知すべき情報等の表示を行なう。なお、表示部１９をいわゆるタッチパネル方式の操作部とすることにより、操作部１８の全体、又は一部の機能を表示部１９で兼用するように構成することが出来る。
【００２９】
上述した構成により、ＭＦＰ１-1は、図示しない原稿載置台にユーザが載置した原稿を読取部１５により読み取って得られた画像データを画像メモリ１６に一旦記憶した後、コーデック２２によってファクシミリ画像データに符号化してＮＣＵ１３及びモデム１４を介して公衆電話回線網ＰＳＴＮに接続されている他のＭＦＰ３及びファクシミリ装置４へ送信し、また、外部のＭＦＰ３及びファクシミリ装置４がファクシミリ通信にて送信したファクシミリ画像データを公衆電話回線網ＰＳＴＮを介して受信し、画像メモリ１６に一旦記憶した後、コーデック２２により通常の画像データ、たとえばビットマップ，ＭＰＥＧ，ＴＩＦＦ等のフォーマットに復号するファクシミリ装置として機能する。
【００３０】
また、ＭＦＰ１-1は、図示しない原稿載置台に載置された原稿を読取部１５により読み取って得られた画像データをプリント部１７で用紙にハードコピーすることにより複写する複写装置としても機能し、更にＬＡＮインタフェース２０を介してＬＡＮに接続されているＰＣ２から受信したデータに基づく画像をプリント部１７で用紙にハードコピーしてプリントするネットワークプリンタとしても機能する。更に、ＭＦＰ１-1は、読取部１５により原稿を読み取って得られた画像データをＬＡＮインタフェース２０を介してＬＡＮに接続されているＰＣ２へ送信するネットワークスキャナとしても機能する。
【００３１】
ところで、ＭＦＰ１-1は、不揮発性で大記憶容量の記憶手段としてハードディスク又はフラッシュメモリ等からなる蓄積部２１を備えている。蓄積部２１にはファイルデータベース（ＤＢ）２１ａが適宜の領域に設定されている。このファイルＤＢ２１ａには上述し
たようなファクシミリ通信により外部から受信した画像データ、読取部１５により原稿から読み取った画像データ、及びＬＡＮを介して外部のＰＣ２から受信した画像データが文書ファイルとして適宜登録されている。また、ＭＦＰ１-1は、上述したように、各種の画像データをユーザが再利用できるように文書ファイルとして蓄積部２１のファイルＤＢ２１ａに蓄積させておくことにより、ファイルサーバとしても機能する。
【００３２】
ＭＦＰ１-1はまた、蓄積部２１にウェブサーバ装置としての動作に必要な制御プログラムであるウェブサーバプログラム２１ｂ、上述したような各機能により取得した文書ファイルを構成する画像データへのリンクを設定した複数のウェブページ、ＭＦＰ１-1をＰＣ２等の外部装置から操作するためのウェブページ等の種々のウェブページ２１ｃを記憶させている。これにより、ＭＦＰ１-1は、蓄積部２１のファイルＤＢ２１ａに登録されている文書ファイルの各ページ、即ち文書ファイルを構成する各画像データをウェブページ２１ｃ上からＰＣ２に提供するウェブサーバ装置としても動作すると共に、ＰＣ２等の端末装置に表示されたウェブページ上に入力された種々の指示に応じて文書ファイルを操作するファクシミリ装置としても動作する。
【００３３】
従って、ウェブブラウザを備えたＰＣ２において、図示しないＣＰＵがウェブブラウザを立ち上げて、ＭＦＰ１-1により提供されるウェブページ２１ｃを要求した場合、ＭＦＰ１-1の制御部１０は、ファイルＤＢ２１ａに記憶させてある文書ファイルをＰＣ２へ送信する。これにより、ＰＣ２におけるユーザは、ＬＡＮを介してＭＦＰ１-1から所望の文書ファイル、より具体的には文書ファイルの各ページである画像データを取得して閲覧したり、閲覧することによってその内容を確認した上で、送信宛先を指定してファクシミリ送信をＭＦＰ１-1に指示したりすることができる。
【００３４】
以下に、上述した構成のＭＦＰ１-1によるファクシミリ送信のための処理手順について、特に他のＭＦＰを利用した同報送信のための処理手順について以下に説明する。但し、以下の説明においては、本来はＭＦＰ１-1からファクシミリ送信すべき送信原稿をＭＦＰ１-2から送信させる場合について主として説明する。従って、以下においてはＭＦＰ１-1を依頼元装置といい、ＭＦＰ１-2を配信装置という。
【００３５】
図３は本発明に係るファクシミリ装置としてのあるＭＦＰ、たとえば図１に示されている依頼元装置としてのＭＦＰ１-1が同報通信を依頼先のファクシミリ装置である配信装置（この場合はＭＦＰ１-2）を特定して登録するための処理手順を、図４はそれに対応する配信装置であるＭＦＰ１-1側での処理手順をそれぞれ示すフローチャートである。なお、これらのフローチャートに示す処理手順は各ＭＦＰの制御部１０がＲＯＭ１１に予め格納されている制御プログラム１１ａに従って実行する。
【００３６】
依頼元装置であるＭＦＰ１-1の制御部１０はまず、たとえばＵＤＰ／ＩＰプロトコルのブロードキャスト送信により同一セグメント（図１に示す例ではＭＦＰ１-1にＬＡＮ接続している範囲内）の各装置に対して、能力交換用のファイルをたとえばＸＭＬファイルで送信する (ステップＳ１１）。このようにして能力交換用のファイルをブロードキャスト送信した後、ＭＦＰ１-1はＵＤＰ／ＩＰ又はＨＴＴＰプロトコルによる応答を受信するまで (ステップＳ１２でＹＥＳ）、所定時間待機する（ステップＳ１２及びＳ１３で共にＮＯ）。
【００３７】
一方、配信装置であるＭＦＰ１-2はＵＤＰ／ＩＰプロトコルのブロードキャスト通信を受信するまで待機しており（ステップＳ２１でＮＯ）、それまでは必要に応じて他の処理を実行している（ステップＳ２２）。そして、配信装置であるＭＦＰ１-2が依頼元装置であるＭＦＰ１-1からＵＤＰ／ＩＰプロトコルのブロードキャスト送信を受信すると（ステップＳ２１でＹＥＳ）、それが能力交換用のＸＭＬファイルであるか否かを判断する（ス
テップＳ２３）。能力交換用のファイルでない場合（ステップＳ２３でＮＯ）、ＭＦＰ１-2の制御部１０は受信内容に応じた処理を実行し、再度ＵＤＰ／ＩＰプロトコルのブロードキャスト通信を受信するまで待機する。
【００３８】
依頼元装置であるＭＦＰ１-1側で所定時間が経過した時点でもなお応答を受信できない（タイムアップ）場合（ステップＳ１３でＹＥＳ）、ＭＦＰ１-1の制御部１０はこの処理を終了する。この場合には、ＭＦＰ１-1にとって、配信装置となるべきファクシミリ装置が存在しないことになる。
【００３９】
配信装置であるＭＦＰ１-2が能力交換用のファイルを受信した場合（ステップＳ２３でＹＥＳ）、ＭＦＰ１-2の制御部１０は自装置の能力交換用の応答ファイルをたとえばＸＭＬファイルで生成し（ステップＳ２４）、生成したＸＭＬファイルをＵＤＰ／ＩＰ又はＨＴＴＰプロトコルで、能力交換用のＸＭＬファイルをブロードキャスト送信した装置（この場合はＭＦＰ１-1）へ送信する（ステップＳ２５）。
【００４０】
上述したようにしてＭＦＰ１-2から送信された応答を所定時間が経過するまでに依頼元装置であるＭＦＰ１-1が受信した場合（ステップＳ１２でＹＥＳ）、ＭＦＰ１-1の制御部１０は、受信した応答が能力交換用の応答ファイルであるか否かを判断する（ステップＳ１４）。受信した応答が能力交換用の応答ファイルではない場合（ステップＳ１４でＮＯ）、ＭＦＰ１-1の制御部１０はこの処理を終了する。この場合には、ＭＦＰ１-1にとって、配信用となるべきファクシミリ装置が存在しないことになる。
【００４１】
しかし、受信した応答が能力交換用の応答ファイルであった場合（ステップＳ１４でＹＥＳ）、ＭＦＰ１-1の制御部１０は能力交換用のファイルを送信してきた装置（この場合はＭＦＰ１-2）のＩＰアドレスをＲＡＭ１２又は蓄積部２１等の適宜の領域に一時記憶し（ステップＳ１５）、この処理を終了する。なお、上述した例ではＭＦＰ１-1はＭＦＰ１-2からのみ能力交換用の応答ファイルを受信しているが、複数の装置から能力交換用の応答ファイルを受信することも勿論可能である。
【００４２】
以上の図３及び図４のフローチャートに示したような手順により、依頼元装置であるＭＦＰ１-1にとっては同一セグメント内に少なくとも１台のファクシミリ装置（この場合はＭＦＰ１-2）が配信装置として利用可能であることが判明する。勿論逆に、ＭＦＰ１-2から能力交換用のファイルをブロードキャスト送信することによって、ＭＦＰ１-2が依頼元装置になった場合には、同一セグメント内に少なくとも１台のファクシミリ装置（この場合はＭＦＰ１-1）が配信装置として利用可能であることが判明する。
【００４３】
次に、図５及び図６のフローチャートを参照して、依頼元装置であるＭＦＰ１-1と配信装置であるＭＦＰ１-2との間で実行される設定処理の手順について説明する。なお、これらのフローチャートに示す処理手順は各ＭＦＰの制御部１０がＲＯＭ１１に予め格納されている制御プログラム１１ａに従って実行する。
【００４４】
上述のように、依頼元装置であるＭＦＰ１-1にとってＭＦＰ１-2が配信装置として利用可能であることが判明すると、ＭＦＰ１-1の制御部１０は一時記憶しているＩＰアドレス（この場合はＭＦＰ１-2のＩＰアドレス）の装置に、依頼元装置情報をたとえばＨＴＴＰコマンドで送信する（ステップＳ３１）。なお、依頼元装置情報とは、自装置（この場合はＭＦＰ１-1）のＭＡＣアドレス、ＩＰアドレス、発信元情報、ＴＴＩ（Transmit Terminal Identifier）情報等である。ここで、ＴＴＩ情報は送信元の名称、電話番号、送信日時であり、ファクシミリ送信の手順で規定されているＴＳＩ（送信端末識別）信号に含まれて送信される信号である。発信元情報はそれとは異なり、ファクシミリ通信の受信先においてたとえばヘッダとして印刷される会社名、部署名等の文字情報を意味している。
【００４５】
依頼元装置であるＭＦＰ１-1にとって配信装置であるＭＦＰ１-2はＭＦＰ１-1からＨＴＴＰコマンドを受信するまでは（ステップＳ４１でＮＯ）、他の処理を適宜実行している（ステップＳ４２）。ＭＦＰ１-1からＨＴＴＰコマンドを受信すると（ステップＳ４１でＹＥＳ）、ＭＦＰ１-2の制御部１０は受信したＨＴＴＰコマンドが依頼元装置情報であるか否かを判断する（ステップＳ４３）。受信したＨＴＴＰコマンドが依頼元装置情報であった場合（ステップＳ４３でＹＥＳ）、ＭＦＰ１-2の制御部１０は、受信した依頼元装置情報を依頼元装置テーブルに登録し（ステップＳ４４）、受信した依頼元装置情報を送信した装置（この場合はＭＦＰ１-1）へ、応答をたとえばＨＴＴＰプロトコルにより送信する（ステップＳ４５）。この後、ＭＦＰ１-2の制御部１０は再度ステップＳ４１へ処理を戻す。
【００４６】
なお、受信したＨＴＴＰコマンドが依頼元装置情報でない場合（ステップＳ４３でＮＯ）、ＭＦＰ１-2の制御部１０は、受信内容に応じた処理を実行し（ステップＳ４２）、ステップＳ４１へ処理を戻す。
【００４７】
以上のようにして依頼元装置であるＭＦＰ１-1は、配信装置であるＭＦＰ１-2から送信された応答を所定時間内に受信するまで（ステップＳ３２でＹＥＳ）、待機している（ステップＳ３２及びＳ３３で共にＮＯ）。そして、配信装置であるＭＦＰ１-2から送信された応答を所定時間内に受信すると（ステップＳ３２でＹＥＳ）、依頼元装置であるＭＦＰ１-1の制御部１０は応答を送信してきた装置（この場合はＭＦＰ１-2）のＩＰアドレスを配信装置テーブルに登録する（ステップＳ３４）。
【００４８】
図７は配信装置であるＭＦＰ１-2のたとえばファイルＤＢ２１ａの適宜の領域に記憶される依頼元装置テーブルの内容を概念的に示す模式図である。依頼元装置テーブルには、依頼元装置に関して、ＭＡＣアドレス、ＩＰアドレス、発信元情報、ＴＴＩ情報、能力交換用のファイルで交換したファクシミリ装置としての能力が登録されている。なお、依頼元装置テーブルには複数の依頼元装置の情報を登録することが可能である。また、この説明ではＭＦＰ１-1が依頼元装置となっているが、ＭＦＰ１-1のみならず、他のＭＦＰ、ファクシミリ装置等にも、それぞれの装置にとって他の装置が依頼元装置となった場合の依頼元装置テーブルが記憶されている。
【００４９】
また、図８は依頼元装置であるＭＦＰ１-1のたとえばファイルＤＢ２１ａの適宜の領域に記憶される配信装置テーブルの内容を概念的に示す模式図である。配信装置テーブルには、各配信装置に関して、ＩＰアドレスと、能力交換用のファイルで交換したファクシミリ装置としての能力が登録されている。なお、配信装置テーブルには複数の配信装置の情報を登録することが可能である。また、この説明ではＭＦＰ１-2が配信装置となっているが、ＭＦＰ１-2のみならず、他のＭＦＰ、ファクシミリ装置等にも、それぞれの装置が依頼元装置になった場合の配信装置テーブルが記憶されている。
【００５０】
なお、個々のＭＦＰが依頼元装置になるか、配信装置になるかは相対的なものであり、全てのＭＦＰが他のＭＦＰに対して依頼元装置になることが可能であり、また逆に全てのＭＦＰが他のＭＦＰに対して配信装置になることが可能である。従って、各ＭＦＰは、自身が依頼元装置になった場合のための配信装置テーブルを有しており、また自身が配信装置になった場合のための依頼元装置テーブルを有している。但し、特定のＭＦＰのみを依頼元装置として機能させることも勿論可能である。この場合には、特定の１台のＭＦＰのみが配信装置テーブルのみを有し、他のＭＦＰは依頼元装置テーブルのみを有していればよい。
【００５１】
次に、図９、図１０及び図１１のフローチャートを参照して、依頼元装置であるＭＦＰ
１-1が配信装置であるＭＦＰ１-2にファクシミリ送信をさせる処理の手順について説明する。なお、これらのフローチャートに示す処理手順は各ＭＦＰの制御部１０がＲＯＭ１１に予め格納されている制御プログラム１１ａに従って実行する。
【００５２】
依頼元装置であるＭＦＰ１-1は、ファクシミリ送信の宛先がたとえばＬＡＮ接続されているＰＣ２から指定されるか、又はＭＦＰ１-1自身の操作部１８をユーザが操作することにより指定されるまでは（ステップＳ５１でＮＯ）、適宜他の処理を実行している（ステップＳ５２）。ファクシミリ送信の宛先が指定されると（ステップＳ５１でＹＥＳ）、ＭＦＰ１-1は、指定されたファクシミリ送信の宛先を送信宛先情報としてＲＡＭ１２又は蓄積部２１等の適宜の領域に一時記憶する（ステップＳ５３）。なお、送信宛先は複数を指定することも勿論可能である。
【００５３】
次に、依頼元装置であるＭＦＰ１-1は、ファイルＤＢ２１ａに予め記憶されている文書ファイルが送信原稿として指定されるか、又は送信原稿の読み込みが指示されるまで待機する（ステップＳ５４、Ｓ５５で共にＮＯ）。送信原稿の読み込みが指示された場合（ステップＳ５４でＮＯ，Ｓ５５でＹＥＳ）、ＭＦＰ１-1の制御部１０は図示しない原稿載置台に載置されている送信原稿を読取部１５でページ単位で順次的に読み込み、得られた画像データ（この時点ではたとえばＢＭＰフォーマット）を一旦画像メモリ１６に記憶する。送信原稿の全てのページの読み込みが終了するまで上述の処理が反復され（ステップＳ５６でＮＯ）、送信原稿の全てのページの読み込みが終了すると（ステップＳ５６でＹＥＳ）、ＭＦＰ１-1の制御部１０は後述するステップＳ５７へ処理を進める。
【００５４】
一方、ファイルＤＢ２１ａに予め記憶されている文書ファイルがＭＦＰ１-1にＬＡＮ接続しているいずれかのＰＣ２から送信原稿として指定された場合（ステップＳ５４でＹＥＳ）、ＭＦＰ１-1の制御部１０は指定された文書ファイルの画像データをファイルＤＢ２１ａから読み出して画像メモリ１６に一時記憶する。なおこの場合の画像データのフォーマットはＴＩＦＦ，ＪＰＥＧ，ＤＰＦ等、種種のフォーマットがあり得る。
【００５５】
いずれにしろ以上のようにして送信原稿の各ページの画像データが画像メモリ１６に記憶されると、依頼元装置であるＭＦＰ１-1の制御部１０は、画像メモリ１６に記憶されている画像データをコンピュータネットワークによる通信が可能なフォーマット（たとえばＴＩＦＦ，ＪＰＥＧ，ＰＤＦ等）にコーデック２２で変換して送信画像データファイルを生成する（ステップＳ５７）。次にＭＦＰ１-1は、このようにして生成した送信画像データファイルと、先に一時記憶した送信宛先情報をその内容として生成された送信宛先情報ファイルとを配信装置テーブルに登録されている配信装置のＩＰアドレスに従って、たとえばＭＦＰ１-2へたとえばＨＴＴＰコマンドで送信する（ステップＳ５８）。なお、複数の送信宛先が指定された場合は、送信宛先情報ファイルには複数の送信宛先が含まれる。
【００５６】
この後、依頼元装置であるＭＦＰ１-1の制御部１０は所定時間、自身が送信したＨＴＴＰコマンドに対するＭＦＰ１-2からの応答を受信するまで待機する（ステップＳ５９，Ｓ６０で共にＮＯ）。ここで、所定時間とは、依頼元装置であるＭＦＰ１-1から配信装置であるＭＦＰ１-2へ依頼したファクシミリ送信の送信原稿の量と、依頼元装置であるＭＦＰ１-1の配信装置テーブルに登録されている配信装置であるＭＦＰ１-2の能力とから求められる送信に要する予定時間にある程度の余裕を見込んだ時間である。従って、この所定時間内に配信装置であるＭＦＰ１-2から応答を受信できない場合は、配信装置側でエラーが発生したとみなすことが出来る。
【００５７】
所定時間が経過するまでに配信装置であるＭＦＰ１-2からの応答を受信することが出来なかった場合、即ちタイムアップした場合（ステップＳ５９でＮＯ，Ｓ６０でＹＥＳ）、依頼元装置のＭＦＰ１-1はエラー表示を行ない（ステップＳ６１）、処理を終了する。な
おこのエラー表示は、送信原稿がＭＦＰ１-1の操作によりＭＦＰ１-1自身の読取部１５で直接読み取られた場合にはＭＦＰ１-1の表示部１９に表示され、ＭＦＰ１-1のファイルＤＢ２１ａに予め記憶されている文書ファイルがＰＣ２から指定された場合にはそのＰＣ２のディスプレイに表示されるようにできる。
【００５８】
一方、所定時間が経過するまでにＭＦＰ１-2からの応答を受信した場合（ステップＳ５９でＹＥＳ）、依頼元装置のＭＦＰ１-1は送信完了を意味する表示を行ない（ステップＳ６２）、処理を終了する。なおこの送信完了の表示は、送信原稿がＭＦＰ１-1の操作によりＭＦＰ１-1自身の読取部１５で直接読み取られた場合にはＭＦＰ１-1の表示部１９に表示され、ＭＦＰ１-1のファイルＤＢ２１ａに予め記憶されている文書ファイルがＰＣ２から指定された場合にはそのＰＣ２のディスプレイに表示されるようにできる。
【００５９】
なお、上述の例は依頼元装置であるＭＦＰ１-1から１台の配信装置であるＭＦＰ１-2のみに送信依頼を行なった場合であるが、依頼元装置であるＭＦＰ１-1の配信装置テーブルに配信装置として複数のＭＦＰが登録されている場合は、たとえば予め設定されている優先順位に従って、又はＭＦＰ１-1の操作部１８の操作により、更にはＭＦＰ１-1に接続されているＰＣ２からの指示により設定された順序に従って、送信依頼を受けることが可能なＭＦＰをＭＦＰ１-1の制御部１０が順次的に探すことが可能である。
【００６０】
また、送信宛先が複数である場合は、依頼元装置であるＭＦＰ１-1の制御部１０は、配信装置テーブルに配信装置として登録されている複数のＭＦＰに対して複数の送信宛先を、たとえば各ＭＦＰとの間で予め交換して配信装置テーブルに登録してある能力ファイルの内容に基づいて割り当てることが可能である。この際、たとえばファクシミリ送信能力が低い装置には１又は比較的小数の送信宛先を割り当て、ファクシミリ送信能力が高い装置には比較的多数の送信宛先を割り当てるようにすることが可能である。
【００６１】
更に、複数の送信宛先が指定された場合に、依頼元装置であるＭＦＰ１-1自身が複数の送信宛先の内の一つ、又は複数の宛先へファクシミリ送信するように、配信装置である他のＭＦＰとの間で送信宛先の割り当てを行なうことも勿論可能である。
【００６２】
配信装置であるＭＦＰ１-2においては図１０及び図１１に示すような手順でファクシミリ送信が実行される。配信装置であるＭＦＰ１-2はＨＴＴＰコマンドを受信するまでは（ステップＳ７１でＮＯ）、適宜他の処理を実行している（ステップＳ７２）。ＨＴＴＰコマンドを受信した場合（ステップＳ７１でＹＥＳ）、配信装置であるＭＦＰ１-2の制御部１０は受信したＨＴＴＰコマンドに含まれる送信宛先情報ファイルをＲＡＭ１２又は蓄積部２１等の適宜の領域に一時記憶し（ステップＳ７３）、また同じくＨＴＴＰコマンドに含まれる送信画像データファイルを画像メモリ１６に一時記憶する（ステップＳ７４）。
【００６３】
次に、配信装置であるＭＦＰ１-2の制御部１０は、一時記憶した送信宛先情報ファイルの内容に基づいて送信先情報を取得し、送信ジョブファイルを生成する（ステップＳ７５）。なお、送信宛先が複数である場合、即ち送信依頼装置であるＭＦＰ１-1から受信した送信宛先情報ファイルに複数の送信宛先が含まれている場合は、それぞれの送信宛先別に送信ジョブファイルが生成される。このようにして送信宛先ジョブファイルが生成されると、配信装置であるＭＦＰ１-2の制御部１０は一時記憶していた送信宛先情報ファイルを削除する（ステップＳ７６）。
【００６４】
次に、配信装置であるＭＦＰ１-2の制御部１０は、自身の依頼元装置テーブルから依頼元装置（この場合はＭＦＰ１-1）の発信元情報（会社名、部署名等の文字情報）を読み出すと共に、自身の画像メモリ１６に一時記憶されている送信画像データファイルを読み出し、両者を合成した画像データをコーデック２２でデコード又はエンコードしてファクシ
ミリ画像データ（ＭＨ，ＭＲ，ＭＭＲ符号化データ）を生成する（ステップＳ７７）。
【００６５】
次に、配信装置であるＭＦＰ１-2の制御部１０は、自身の依頼元装置テーブルから依頼元装置（この場合はＭＦＰ１-1）のＴＴＩ情報を読み出し、ファクシミリ送信の手順で規定されているＴＳＩ（送信端末識別）信号に本来書き込まれるべき自装置のＴＴＩ情報に代えて、先に読み出した依頼元装置（この場合はＭＦＰ１-1）のＴＴＩ情報を書き込んでファクシミリ送信を実行する（ステップＳ７８）。従って、配信装置であるＭＦＰ１-2からファクシミリ送信された送信原稿を受信した送信宛先のファクシミリ装置では、実際には配信装置であるＭＦＰ１-2から送信されたにも拘わらず、依頼元装置であるＭＦＰ１-1から送信された場合と同一の受信結果になる。
【００６６】
配信装置であるＭＦＰ１-2は一つの送信ジョブファイルによるファクシミリ送信が完了するまで待機し（ステップＳ７９でＮＯ）、完了すると（ステップＳ７９でＹＥＳ）、送信が完了した送信ジョブファイルを削除する（ステップＳ８０）。なお、配信装置であるＭＦＰ１-2に複数の送信宛先が設定されている場合は送信ジョブファイルが複数生成されているので、次にＭＦＰ１-2の制御部１０は送信ジョブファイルがまだ残っているか否かを判断し（ステップＳ８１）、残っている場合は（ステップＳ８１でＹＥＳ）、前述したステップＳ７７へ処理を戻すことによって他の送信宛先へのファクシミリ送信を前述同様に反復する。
【００６７】
全ての送信宛先へのファクシミリ送信が完了すると全ての送信ジョブファイルが削除されるので（ステップＳ８１でＮＯ）、ＭＦＰ１-2の制御部１０は送信画像データファイルを削除し（ステップＳ８２）、送信完了を意味する信号を依頼元装置であるＭＦＰ１-1へ送信し（ステップＳ８３）、処理を終了する。なお、ファクシミリ送信中にエラーが生じてファクシミリ送信を続けることができなくなった場合にも、配信装置であるＭＦＰ１-21 はエラー通知を依頼元装置であるＭＦＰ１-1へ送信する。
【００６８】
なお、前述した図３乃至図６のフローチャートに示した処理を各ＭＦＰ間で定期的に実行することにより、各ＭＦＰには最新の状態の依頼元装置テーブル及び配信装置テーブルが記憶されることになる。即ち、いずれかのＭＦＰのＩＰアドレス、ＭＡＣアドレス、送信元情報、ＴＴＩ情報、能力等が変更された場合にも、可及的速やかに変更後の情報が依頼元装置テーブル及び配信装置テーブルに更新登録される。また、いずれかのＭＦＰがＬＡＮから切り離された場合、又は新たなＭＦＰがＬＡＮに接続された場合にも、それらの情報を可及的速やかに変更後の情報が依頼元装置テーブル及び配信装置テーブルに更新登録することが可能になる。
【００６９】
ところで、上述の実施の形態では、ＭＦＰ１-1にＬＡＮ接続されている、即ち同一セグメント内のＭＦＰ等の装置間でいずれかが依頼元装置として、他が配信装置として動作する例を示した。しかし、同一セグメント内に含まれるファクシミリ装置は限られているので、たとえば図１に示す例では、ＭＦＰ１-1にインターネットＩＮを介して接続しているＭＦＰ１-3をも依頼元装置であるＭＦＰ１-1にとっての配信装置として利用することが可能である。但しこの場合には、ＭＦＰ１-3に関する情報をＩＰアドレスを指定することにより予め取得して配信装置テーブルに予め登録しておく必要がある。
【図面の簡単な説明】
【００７０】
【図１】本発明に係るファクシミリ装置としてのＭＦＰを接続した本発明に係るネットワークファクシミリシステムの構成例を示す模式図である。
【図２】本発明に係るファクシミリ装置としてのＭＦＰの内部構成例を示すブロック図である。
【図３】本発明に係るファクシミリ装置としてのＭＦＰによる動作手順を示すフローーチャートである。
【図４】本発明に係るファクシミリ装置としてのＭＦＰによる動作手順を示すフローーチャートである。
【図５】本発明に係るファクシミリ装置としてのＭＦＰによる動作手順を示すフローーチャートである。
【図６】本発明に係るファクシミリ装置としてのＭＦＰによる動作手順を示すフローーチャートである。
【図７】本発明に係るファクシミリ装置としてのＭＦＰに記憶される依頼元装置テーブルの内容を概念的に示す模式図である。
【図８】本発明に係るファクシミリ装置としてのＭＦＰに記憶される配信装置テーブルの内容を概念的に示す模式図である。
【図９】本発明に係るファクシミリ装置としてのＭＦＰによる動作手順を示すフローーチャートである。
【図１０】本発明に係るファクシミリ装置としてのＭＦＰによる動作手順を示すフローチャートである。
【図１１】本発明に係るファクシミリ装置としてのＭＦＰによる動作手順を示すフローチャートである。
【符号の説明】
【００７１】
１  ＭＦＰ（ファクシミリ装置）
１-1  ＭＦＰ（依頼元装置）
１-2  ＭＦＰ（配信装置）
１０  制御部
１１ａ  制御プログラム
１６  画像メモリ
２１  蓄積部
２１ａ  画像データベース
２２  コーデック                                                              
ＰＳＴＮ  第１のネットワーク
ＬＡＮ  第２のネットワーク
【図１】
2007325122.tif 000003
【図２】
2007325122.tif 000004
【図３】
2007325122.tif 000005
【図４】
2007325122.tif 000006
【図５】
2007325122.tif 000007
【図６】
2007325122.tif 000008
【図７】
2007325122.tif 000009
【図８】
2007325122.tif 000010
【図９】
2007325122.tif 000011
【図１０】
2007325122.tif 000012
【図１１】
2007325122.tif 000013